(57)【要約】【課題】組み合わせにより様々な形態の長椅子を構成することができるマッサージチェアを提供する。【解決手段】座部３を有すると共に床面に載置状態とされるチェア本体部２と、このチェア本体部２にリクライニング可能に取り付けられている背もたれ部とを備えている。チェア本体部２は別の椅子１１と連結可能とさせるための連結部を有している。座部３は前記別の椅子１１が連結されると当該椅子の座面１３ａと隣り合わせとなって一つの共通座面Ａを形成することができる座面３ａを有している。【選択図】      図１１
2006288498.tif 000002
【特許請求の範囲】
【請求項１】
マッサージ機構を備えたマッサージチェアと、このマッサージチェアとは別体であるソファとを備え、前記マッサージチェアと前記ソファとが並んで設けられ、当該マッサージチェアの座面と当該ソファの座面とが隣り合わせとされて一つの共通座面が形成されていることを特徴とするマッサージ機ユニット。
【請求項２】
前記マッサージチェアと前記ソファとは、連結手段により連結固定されている請求項１に記載のマッサージ機ユニット。
【請求項３】
マッサージ機構を備えたそれぞれが別個独立している複数台のマッサージチェアを備え、これら複数台のマッサージチェアが並んで設けられ、当該マッサージチェアの各座面が隣り合わせとされて一つの共通座面が形成されていることを特徴とするマッサージ機ユニット。
【請求項４】
前記マッサージチェア同士は、連結手段により連結固定されている請求項３に記載のマッサージ機ユニット。
【請求項５】
座部を有すると共に床面に載置状態とされるチェア本体部を備え、このチェア本体部は、別の椅子と連結させるための連結部を有し、前記座部は、前記別の椅子が連結されると当該椅子の座面と隣り合わせとなって一つの共通座面を形成することができる座面を有していることを特徴とするマッサージチェア。
【請求項６】
前記連結部は前記チェア本体部の側部に設けられ、前記共通座面が形成されると当該共通座面により、前記連結部は上方から隠される請求項５に記載のマッサージチェア。
【請求項７】
前記チェア本体部は、前記別の椅子と連結させる際には取り外される側壁部材を前記座部の側方において有しており、この側壁部材の上部が肘掛け部とされかつ側部が前記連結部を側方から覆うカバー部とされている請求項６に記載のマッサージチェア。
【請求項８】
座部を有すると共に床面に載置状態とされるソファ本体部を備え、このソファ本体部は、マッサージ機構を備えるマッサージチェアと連結させるための連結部を有し、前記座部は、前記マッサージチェアが連結されると当該マッサージチェアの座面と隣り合わせとなって一つの共通座面を形成することができる座面を有していることを特徴とするソファ。
【請求項９】
前記連結部は前記ソファ本体部の側部に設けられ、前記共通座面が形成されると当該共通座面により、前記連結部は上方から隠される請求項８に記載のソファ。
【発明の詳細な説明】
【技術分野】
【０００１】
この発明は、マッサージ機構を備えているマッサージチェア、ソファ、及び、マッサージチェアを含む椅子型のマッサージ機ユニットに関する。
【背景技術】
【０００２】
従来、知られている椅子型のマッサージ機としては、座部と、リクライニング可能とされた背もたれ部を有するものがあり、これらの内部に、エアの給排により膨張・収縮するエアセルや、機械的な打撃や揉み動作をする施療子などからなるマッサージ機構が設けられている。このような椅子型のマッサージ機は、従来、一人が座って利用するものとされている。従って、複数人が同時に椅子型のマッサージ機を利用する場合、マッサージ機を複数台用意するしかなかった。
そこで、例えば特許文献１に示すように、マッサージ機能を有する二人掛け用の椅子が提案されている。この椅子は、二人が同時に着座できる座面を有している。
【０００３】
【特許文献１】特開２００２−２８２０９号公報
【発明の開示】
【発明が解決しようとする課題】
【０００４】
しかし、特許文献１に記載されている二人掛け用の椅子は、座面を有する座部とこの座部を支持している座部フレームがそれぞれ一体ものとされており、さらに、肘掛け部が座部の側方においてフレームに固定されているため、この椅子を一人掛け用に分離させたり、これ以上座部を追加することができず、二人掛け用の形態のままでしか使用できない。また、仮にこの二人掛け用の椅子の横に別の椅子を設けても、肘掛け部が存在しているため、この椅子と別の椅子とにより一つの平面状の座面を形成することができない。
【０００５】
そこでこの発明は、前記問題点に鑑みてなされたものであり、組み合わせにより様々な形態を構成させることができる椅子を提供することを目的とする。
【課題を解決するための手段】
【０００６】
前記目的を達成するためのこの発明のマッサージ機ユニットは、マッサージ機構を備えたマッサージチェアと、このマッサージチェアとは別体であるソファとを備え、前記マッサージチェアと前記ソファとが並んで設けられ、当該マッサージチェアの座面と当該ソファの座面とが隣り合わせとされて一つの共通座面が形成されていることを特徴としている。
この構成によれば、マッサージチェアとソファとが並んで、一つの平面状の共通座面を有する長椅子とされる。さらにマッサージチェアとソファとが別体とされているため、分離させて個々の椅子とすることもできる。なお、マッサージチェアの座面は一人掛け用以外に、二人掛け以上のものであってもよく、さらに、ソファの座面は一人掛け用以外に、二人掛け以上のものであってもよい。
【０００７】
そして、このマッサージ機ユニットにおいて、前記マッサージチェアと前記ソファとは、連結手段により連結固定されているのが好ましい。これにより、マッサージ機ユニットを一体化させることができ、このユニットの搬送や移動が容易となる。
【０００８】
また、この発明の他のマッサージ機ユニットは、マッサージ機構を備えたそれぞれが別個独立している複数台のマッサージチェアを備え、これら複数台のマッサージチェアが並んで設けられ、当該マッサージチェアの各座面が隣り合わせとされて一つの共通座面が形成されていることを特徴としている。
この構成によれば、複数台のマッサージチェアが並んで、一つの平面状の共通座面を有する長椅子とされる。また、各マッサージチェアが別体とされているため、分離させて個々のマッサージチェアとすることもできる。
【０００９】
そして、このマッサージ機ユニットにおいて、前記マッサージチェア同士は、連結手段により連結固定されているのが好ましい。これにより、マッサージ機ユニットを一体化させることができ、このユニットの搬送や移動が容易となる。
【００１０】
また、この発明のマッサージチェアは、座部を有すると共に床面に載置状態とされるチェア本体部を備え、このチェア本体部は、別の椅子と連結させるための連結部を有し、前記座部は、前記別の椅子が連結されると当該椅子の座面と隣り合わせとなって一つの共通座面を形成することができる座面を有していることを特徴としている。
この構成によれば、マッサージチェアに別の椅子を連結させて、マッサージ機構を有する長椅子を構成することができ、連結させて得た長椅子は、一つの平面状の共通座面を構成することができる。なお、別の椅子とは、マッサージ機構を有するマッサージチェア、又は、マッサージ機構を有さないソファとすることができる。さらに、別の椅子としてのマッサージチェアを二台以上としたり、別の椅子としてのソファを二台以上としたりして構成することができ、これらにより一つの平面状の共通座面を形成することができる。
【００１１】
また、このマッサージチェアにおいて、前記連結部は前記チェア本体部の側部に設けられ、前記共通座面が形成されると当該共通座面により、前記連結部は上方から隠されるのが好ましい。
これによれば、別の椅子と連結させると連結部が隠されるため、一体の長椅子として見せることができ、優れた外観のものとできる。そして、複数の座面で構成される共通座面により連結部を隠すためには、隣り合う座面同士が縁部でひっついた状態とされるため、共通座面が連続したものとなり、一体感のある長椅子が構成される。
【００１２】
さらに、前記チェア本体部は、前記別の椅子と連結させる際には取り外される側壁部材を前記座部の側方において有しており、この側壁部材の上部が肘掛け部とされかつ側部が前記連結部を側方から覆うカバー部とされているのが好ましい。
これによれば、側壁部材を取り外すことで別の椅子を連結させることができ、隣に設ける別の椅子の座面とにより平面状の共通座面を構成できる。そして、側壁部材を取り付けた状態では、座部の側方に肘掛け部を設けることができ、かつ、カバー部により連結部を隠すことができる。
【００１３】
また、この発明のソファは、座部を有すると共に床面に載置状態とされるソファ本体部を備え、このソファ本体部は、マッサージ機構を備えるマッサージチェアと連結させるための連結部を有し、前記座部は、前記マッサージチェアが連結されると当該マッサージチェアの座面と隣り合わせとなって一つの共通座面を形成することができる座面を有していることを特徴としている。
この構成によれば、ソファに別のマッサージチェアを連結させて長椅子を構成することができ、連結させて得た長椅子は、一つの平面状の共通座面を構成することができる。そして、マッサージ機構を有する長椅子を構成できる。なお、このソファの座部は一人掛け用以外にも、二人掛け以上のものであってもよい。さらに、別のマッサージチェアを二台以上連結させてもよく、これらにより一つの平面状の共通座面を形成することができる。
【００１４】
また、このソファにおいて、前記連結部は前記ソファ本体部の側部に設けられ、前記共通座面が形成されると当該共通座面により、前記連結部は上方から隠されるのが好ましい。
これによれば、別のマッサージチェアと連結させると連結部が隠されるため、一体の長椅子として見せることができ、優れた外観のものとできる。そして、複数の座面で構成される共通座面により連結部を隠すためには、隣り合う座面同士が縁部でひっついた状態とされるため、共通座面が連続したものとなり、一体感のある長椅子が構成される。
【発明の効果】
【００１５】
本発明によれば、一つの広い共通座面を有する長椅子を構成することができ、さらに、組み合わせにより、様々な形態の椅子を構成できる。
【発明を実施するための最良の形態】
【００１６】
以下、この発明の実施の形態について図面を参照しながら説明する。
図１はこの発明の実施の一形態に係るマッサージチェアを示す正面図であり、図２はその平面図、図３はその側面図である。このマッサージチェア１は、着座した施療者に対してマッサージを施すことができる椅子型のマッサージ機であり、床面に載置状態とされるチェア本体部２と、このチェア本体部２の後部にリクライニング可能（回動可能）に取り付けられている背もたれ部４とを備えている。さらに、このマッサージチェア１は、施療者の脚部を支持することができるフットレスト部５を備えており、フットレスト部５はチェア本体部２の前部に回動可能に取り付けられている。そして、施療者に対してマッサージを施すために、このチェア１はマッサージ機構１０を備えている。
【００１７】
チェア本体部２は、床面に載置させて固定状態となる本体部フレーム３２（図１５と図１６参照）と、この本体部フレーム３２の上部に設けられて施療者を着座させる座部３とを備えている。
図１５と図１６のマッサージチェア１のフレームを説明する斜視図において、背もたれ部４は、その内側に背部フレーム３３が設けられており、その下端部側を中心として背部フレーム３３は本体部フレーム３２に回動可能に取り付けられており、図１５の起立状態と図１６の後方倒れ状態との間を回動できる。
フットレスト部５は、その内側に脚部フレーム３４が設けられており、その上端部を中心として脚部フレーム３４は本体部フレーム３２に回動可能に取り付けられており、図１５の下方垂れ下がり状態と図１６の前方突出状態との間を回動できる。
【００１８】
マッサージ機構１０は従来知られているものとされており、図１と図２のマッサージチェア１は、マッサージ機構１０として、エアの給排により膨張・収縮するエアセル３１を複数備えている。または、マッサージ機構１０を、図示しないが機械的な打撃や揉み動作をする施療子とすることもできる。図１と図２のマッサージチェア１においては、座部３、背もたれ部４、及び、フットレスト部５にそれぞれマッサージ機構１０が配設されている。
【００１９】
そして本発明に係るマッサージチェア１は、後に具体的な形態を示すが、別の椅子と並ぶよう設けられて、このマッサージチェア１の座面３ａと別の椅子の座面とにより一つの共通座面を形成することができる。さらに、このマッサージチェア１は前記別の椅子と連結固定させることができる。この場合、マッサージチェア１は、チェア本体部２において別の椅子と連結させるための連結部７を有しており、連結部７は本体部フレーム３２の一部に構成されている。具体的には、連結部７をチェア本体部２の側部や底部に設けることができる。
【００２０】
このマッサージチェア１は、前記別の椅子と連結させる際には取り外されることとなる側壁部材６を、座部３の側方に取り付けている。つまり、側壁部材６はチェア本体部２の側方において取り外し可能とされて設けられている。前記連結部７をチェア本体部２の側部に設けた場合、側壁部材６は、その側部（側面）が前記連結部７を側方から覆うカバー部９とされており、かつ、側壁部材６の上部が肘掛け部８とされている。
この側壁部材６は別の椅子と連結させるための連結部７に取り付けることができる。つまり、連結部７を、チェア本体部２に側壁部材６を取り付けるための部分と、チェア本体部２に別の椅子を連結させるための部分とに、兼用させることができ、部品点数の低減と構成の簡素化が可能となる。
【００２１】
このマッサージチェア１の座部３は、別の椅子が連結されると当該別の椅子の座面と隣り合わせとなって一つの共通座面Ａ（例えば図１１参照）を形成することができる座面３ａを有している。すなわち、前記側壁部材６が取り外された状態にあるマッサージチェア１に別の椅子（ソファ１１）を並べるよう設けることにより、マッサージチェア１の座部３の座面３ａと、その隣に設けられる別の椅子の座面（１３ａ）とにより、連続状となる共通座面Ａが形成される。
そして、マッサージチェア１の連結部７がチェア本体部２の側部に設けられている場合、共通座面Ａが形成されると当該共通座面Ａにより、この連結部７は上方から隠される状態となる。つまり、隣り合う座面同士が縁部でひっついた状態とされて、これら座面により共通座面Ａが構成され、この共通座面Ａが連結部７を隠すこととなる。これにより、マッサージチェア１と別の椅子とにより、座面が連続している一体感のある長椅子が構成される。
【００２２】
このマッサージチェア１と連結される別の椅子は、前記説明したマッサージチェア１と同じものや、図４〜図６に示しているマッサージ機能を備えていないソファ１１がある。
まず、図１〜図３の一つのマッサージチェア１に連結させる別の椅子を、それと同じマッサージチェア１とした場合、つまり複数台のマッサージチェア１によりマッサージ機ユニットを構成した場合について説明する。
これにより構成されるマッサージ機ユニットが図７〜図１０に示しているものである。このユニットは、各マッサージチェア１において左右一方側（隣り合う側）の側壁部材６（図１参照）を取り外して、連結部７を露出状とし、連結部７同士を結合させることで、２台のマッサージチェア１を連結している。
【００２３】
図７がこの２台のマッサージチェア１が並んで設けられたマッサージ機ユニットを示す正面図であり、図８がその平面図、図９が底面図、図１０が背面図である。
このマッサージユニットを説明すると、このユニットは、それぞれ別個独立している２台のマッサージチェア１を備えており、これらマッサージチェア１は並んで設けられることにより、マッサージチェア１の各座面３ａが隣り合わせとされて、一つの共通座面Ａを形成している。
【００２４】
このマッサージチェア１同士は、後に詳しく説明する連結手段２１によって連結固定することができ、この連結手段２１は、各マッサージチェア１のチェア本体部２における連結部７を連結している。したがって、背もたれ部４とフットレスト部５とは、隣り合うチェア１同士において連結されておらず、それぞれが独自に回動することができる。例えば、一方のマッサージチェア１は背もたれ部４を起立状態とさせ、別のマッサージチェア１は背もたれ部４を後方倒れ状態とさせることができる。さらに、マッサージチェア１が有する制御部（図示せず）により、それぞれのマッサージチェア１において別個独立した異なるマッサージ動作をさせたり、また、双方を同期させて二人の施療者に対して同じマッサージ動作をさせたり、それぞれのマッサージチェア１のマッサージ機構１０同士を関連付けて動作させて、共通座面Ａに寝転んだ状態にある一人の施療者に対して、二台のマッサージチェア１で一組とされたユニット（二台で一組のマッサージ機構１０）により一つのマッサージ動作をさせることができる。
【００２５】
次に、図１〜図３の一つのマッサージチェア１に連結させる別の椅子をソファ１１とした場合、つまり、マッサージチェア１とソファ１１とによりマッサージ機ユニットを構成した場合を説明する。
連結させるソファ１１は、図４の正面図、図５の平面図、図６の側面図に示すように、座部１３を有すると共に床面に載置状態とされるソファ本体部１２と、このソファ本体部１２の後部側に設けられた背もたれ部１４とを備えている。さらに、座部１３に着座した際に施療者の脚部に対応する部分として脚対応部１５を備えている。
このソファ１１は座面１３ａと背もたれ部１４が二人掛け用とされているが、ソファ本体部１２が備えているベースフレーム３５は、左右方向に長い一体ものとされている。つまり、このソファ１１は一体とされた二人掛け用のものである。なお、図示しているソファ１１は、座面１３ａ及び背もたれ部１４のそれぞれにおいて境界線が形成されて２区分に分割されているように見せているが、境界線を無くして一体状として見せるものであってもよい。さらに、本発明のソファ１１は三人掛け以上であってもよい。
【００２６】
そして、このソファ１１が有しているソファ本体部１２は、マッサージ機構１０を備える前記マッサージチェア１と連結可能とさせるための連結部１７を有しており、ソファ本体部１２における座部１３の座面１３ａは、図１１に示しているように、マッサージチェア１を連結させると当該マッサージチェア１の座面３ａと隣り合わせとなって一つの共通座面Ａを形成することができる。連結部１７はソファ本体部１２の側部又は下部に設けられる。
また、ソファ１１の背もたれ部１４はリクライニング可能であってもよく、また脚対応部１５においても座部１３に対して回動するよう構成し、脚対応部１５を鉛直面状と水平面状との間を回動させてもよい。
【００２７】
このソファ１１と前記マッサージチェア１とを連結させる際には取り外されることとなる側壁部材１６が、座部１３の側方に取り付けられている。つまり、側壁部材１６はソファ本体部１２の側方に取り外し可能とされて設けられている。ソファ１１側における連結部１７をソファ本体部１２の側部に設けた場合、側壁部材１６は、その側部（側面）が前記連結部１７を側方から覆うカバー部１９とされており、かつ、側壁部材１６の上部が肘掛け部１８とされている。
この側壁部材１６はマッサージチェア１と連結させるための連結部１７に取り付けることができる。つまり、連結部１７を、ソファ本体部１２に側壁部材１６を取り付けるための部分と、ソファ本体部１２にマッサージチェア１を連結させるための部分とに、兼用させることができ、部品点数の低減と構成の簡素化が可能となる。
【００２８】
ソファ１１の座部１３、背もたれ部１４、脚対応部１５はそれぞれマッサージチェア１のものと、同じようなデザイン（形態）とされており、さらに、ソファ１１における肘掛け部１８を有する側壁部材１６と、マッサージチェア１における肘掛け部８を有する側壁部材６とは同一のデザインとされており、両者において外観に統一性をもたせている。そして、これらを並べるよう設けて一つのマッサージ機ユニットとした場合の一体感を備えさせている。
さらに、マッサージチェア１の側壁部材６とソファ１１の側壁部材１６とは、同一のデザインであると共に同一の構造（取り付け構造）とされており、双方を共用させることができる。従って、マッサージチェア１とソファ１１とによるユニットを（セットとして）利用者が購入する場合、側壁部材６（１６）については、マッサージチェア１用の左右一対とソファ１１用の左右一対の合計４個を用意する必要はなく、ユニットとしての左右一対の合計２個を用意するのみでよく、経済的である。
【００２９】
ソファ１１の連結部１７がソファ本体部１２の側部に設けられている場合、マッサージチェア１が側方に並べて設けられて前記共通座面Ａが形成されると当該共通座面Ａにより、ソファ１１側の連結部１７とマッサージチェア１側の連結部７とが共に上方から隠された状態となる。つまり、ソファ１１の座面１３ａとマッサージチェア１の座面３ａ同士が縁部でひっついた状態とされて、これら座面１３ａ，３ａにより共通座面Ａが構成され、この共通座面Ａが連結部１７，７を上方から隠すこととなる。これにより、ソファ１１とマッサージチェア１とにより、座面が連続している一体感のある長椅子が構成される。
【００３０】
そして、前記マッサージチェア１とこのソファ１１とを連結させた場合のマッサージ機ユニットが図１１〜図１４に示しているものである。この場合の連結は、マッサージチェア１が有するソファ１１側の側壁部材６を取り外し、ソファ１１が有するチェア１側の側壁部材１６を取り外して、マッサージチェア１とソファ１１のそれぞれにおいて連結部７，１７を露出状とし、連結部７，１７同士を結合させることで、マッサージチェア１とソファ１１とを連結させている。
【００３１】
図１１が前記マッサージチェア１と前記ソファ１１が並んで設けられたマッサージ機ユニットを示す正面図であり、図１２がその平面図、図１３がその底面図、図１４がその背面図である。
このマッサージユニットを説明すると、このユニットは、マッサージ機構１０を備えた１台の一人掛け用のマッサージチェア１と、このマッサージチェア１とは別体である二人掛け用のソファ１１とを備えており、これらマッサージチェア１とソファ１１とが並んで設けられることにより、マッサージチェア１の座面３ａとソファ１１の座面１３ａとが隣り合わせとされて、一つの共通座面Ａを形成している。
【００３２】
マッサージチェア１とソファ１１とは、後に詳しく説明する連結手段２１によって連結固定することができ、この連結手段２１は、マッサージチェア１側の連結部７とソファ１１側の連結部１７とを連結している。
従って、隣り合うマッサージチェア１とソファ１１との間において、背もたれ部４と背もたれ部１４、フットレスト部５と脚対応部１５とは、それぞれにおいて連結されていない。これにより、マッサージチェア１において、背もたれ部４とフットレスト部５とは単独で回動することができる。例えば、マッサージチェア１の背もたれ部４を後方倒れ状態とさせ、ソファ１１の背もたれ部４を起立状態のままとできる。
【００３３】
前記マッサージチェア１と前記ソファ１１とを連結させる連結手段２１の具体的な構成について説明する。
図１７に示している連結手段２１は、マッサージチェア１の連結部７とソファ１１の連結部１７とを連結する取り外し可能な連結金具とされている。マッサージチェア１の連結部７はチェア本体部２の本体部フレーム３２が有する脚パイプ３６（図１５と図１６参照）とされており、ソファ１１の連結部１７はベースフレーム３５が有する脚パイプ３７とされている（第１の形態）。つまり、この連結金具２１は、脚パイプ３６，３７同士を掴み合うようにして、相互を連結している。なお、図３と図６、及び図１５と図１６に示しているように、ソファ１１のベースフレーム３５が有する脚パイプ３７は、マッサージチェア１の本体部フレーム３２が有する脚パイプ３６と同様の構成とされている。
【００３４】
この連結金具２１は、隣接させた状態にある両脚パイプ３６，３７を二方向から挟んで固定するものであり、両脚パイプ３６，３７のそれぞれの周方向半分を収容状としている第１金具２２と、第１金具２２の一端部に回動可能に取り付けられて一方の脚パイプ３６の残り半分を収容可能とする第２金具２３と、第１金具２２の他端部に回動可能に取り付けられて他方の脚パイプ３７を収容可能とする第３金具２４と、第２金具２３と第３金具２４とを連結して固定するボルト・ナット２５とを有している。
この連結金具２１によれば、マッサージチェア１とソファ１１とを所定の位置に並べるよう設けてから固定が可能となる。
【００３５】
次に、図１８は連結手段２１の変形例（第２の形態）であり、この連結手段２１は、隣接させた状態にある両脚パイプ３６，３７のそれぞれに固定した第１固定板２６と第２固定板２７と、面で接触させた状態にある第１固定板２６と第２固定板２７とを連結して固定するボルト・ナット２８とから構成されている。この場合の連結部７，１７は、それぞれ第１固定板２６と第２固定板２７となる。この構成によれば、簡単な構成によりマッサージチェア１とソファ１１とを強固に連結固定させることができる。なお、この固定板２６，２７は各脚パイプ３６，３７のそれぞれに複数個（例えば、前部と後部に）設けられている。または、固定板２６，２７をそれぞれ椅子の前後方向に大きい１枚の板として構成して、その前部と後部の複数箇所においてボルト・ナット２８により、両固定板２６，２７を連結して固定するようしてもよい。
また、この第１固定板２６に肘掛け部８を有する前記側壁部材６を連結させることができ、第２固定板２７に肘掛け部１８を有する前記側壁部材１６を連結させることができる。
【００３６】
図１９は連結手段２１の別の変形例（第３の形態）であり、この連結手段２１は、ソファ１１のベースフレーム３５の側面に水平突出状態に設けられている第１係合部材２９と、マッサージチェア１の本体部フレーム３２の側面に上下回動可能に設けられて水平突出状態と上方傾斜状態との間を回動する第２係合部材３０とから構成されており、第１、第２係合部材２９，３０は相互が係合する爪部２９ａ，３０ａを有している。そして、第２係合部材３０は、水平突出状態に姿勢が維持されるよう設けられた弾性部材を有しており、ソファ１１とマッサージチェア１とを水平方向に接近させることで、第２係合部材３０の爪部３０ａが、前記弾性部材の弾性力に抗して、第１係合部材２９の爪部２９ａの傾斜面を乗り越えて、爪部２９ａと爪部３０ａとが係合し、マッサージチェア１とソファ１１とが連結固定される。この場合、ソファ１１の連結部１７が第１係合部材２９とされ、マッサージチェア１の連結部７が第２係合部材３０とされる。この構成によれば、マッサージチェア１、ソファ１１を高さ方向に大きく持ち上げることなく、水平方向に移動させることで連結が可能となる。
【００３７】
図２０は連結手段２１のさらに別の変形例（第４の形態）であり、この連結手段２１は、ソファ１１のベースフレーム３５の側面に設けられている第１係合部材３８と、マッサージチェア１の本体部フレーム３２の側面に設けられている第２係合部材３９とから構成されており、第１係合部材３８は上下方向が深さ方向（上下方向に貫通している）孔部３８ａが形成されており、この孔部３８ａに断面が倒立Ｌ字型である第２係合部材３９を差し込むことで両者が係合し、マッサージチェア１とソファ１１とが連結固定される。この場合、ソファ１１の連結部１７が第１係合部材３８とされ、マッサージチェア１の連結部７が第２係合部材３９とされる。この構成によれば、簡単な連結手段２１が得られる。
以上第１から第４の形態までは、マッサージチェア１の連結部７とソファ１１の連結部１７がそれぞれの側部に設けらており、連結部７，１７はマッサージチェア１、ソファ１１に、左右対称の配置とされている。
【００３８】
図２１は連結手段２１の他の変形例（第４の形態）であり、この連結手段２１は、マッサージチェア１とソファ１１との下部に設けられる枠部材４０とされており、この枠部材４０は、左右方向にまっすぐでかつ平行な一対のガイドレール４１を有している。これらガイドレール４１に沿って、マッサージチェア１とソファ１１とを所定の位置まで左右の水平方向に移動させることができ、かつ、ガイドレール４１に対してマッサージチェア１とソファ１１とを図示しないボルト・ナットなどにより固定して、マッサージチェア１とソファ１１は所定の位置で固定される。この場合、マッサージチェア１とソファ１１の底部にはガイドレール４１を転動する車輪（図示せず）を設けるのが好ましい。
この枠部材４０は、一対のガイドレール４１と、一対のガイドレール４１の一端部を連結固定している連結部材４２ａと、他端部において取り外し可能とされている取り外し連結部材４２ｂとを有しており、取り外し連結部材４２ｂが外されて枠部材４０に開口入口部が形成される。この開口入口部からマッサージチェア１とソファ１１とを移動させ、マッサージチェア１とソファ１１とを一対のガイドレール４１に対して所定位置に固定し、取り外し連結部材４２ｂをガイドレール４１に固定する。
この構成によれば、楽にマッサージチェア１とソファ１１と所定の配置に移動させて取り付けることができる。
【００３９】
図２２は前記枠部材４０の変形例（第５の形態）であり、この枠部材４０は、ガイドレール４１が左右方向ではなく前後方向とされたものであり、マッサージチェア１とソファ１１とを前後方向のガイドレール４１に沿って移動させて取り付けるものである。この場合、開口入口部が枠部材４０の左右側部ではなく後部又は前部に形成される。その他の構成は、第４の形態と同様である。
【００４０】
図２３は前記枠部材４０の変形例（第６の形態）であり、この枠部材４０は、マッサージチェア１とソファ１１とが並んで設けられているユニットに対して、四本の直線連結部材４３によりそれぞれ四方から囲って、直線連結部材４３を連結させるものである。この構成によれば、あらかじめマッサージチェア１とソファ１１とを所定の位置関係に配設させてユニットを構成し、その後、直線連結部材４３により囲って枠部材４０を形成し、この枠部材４０によりマッサージチェア１とソファ１１とを固定することができる。
なお、以上の図示した連結手段２１は、マッサージチェア１とソファ１１とを連結する場合として説明したが、マッサージチェア１同士を連結させる場合も同様とできる。また、連結手段２１は、図示した形態に限らずその他のものであってもよい。
【００４１】
また、本発明のマッサージチェア１、ソファ１１、マッサージ機ユニットは、図示する形態に限らずこの発明の範囲内において他の形態のものであっても良く、例えば、マッサージ機ユニットが、全体として４人掛け用の長椅子となるようしてもよい。
【図面の簡単な説明】
【００４２】
【図１】本発明の実施の一形態に係るマッサージチェアの正面図である。
【図２】図１の平面図である。
【図３】図１の側面図である。
【図４】本発明の実施の一形態に係るソファの正面図である。
【図５】図４の平面図である。
【図６】図４の側面図である。
【図７】本発明の実施の一形態に係るマッサージ機ユニットの正面図である。
【図８】図７の平面図である。
【図９】図７の底面図である。
【図１０】図７の背面図である。
【図１１】本発明の他の実施の形態に係るマッサージ機ユニットの正面図である。
【図１２】図１１の平面図である。
【図１３】図１１の底面図である。
【図１４】図１１の背面図である。
【図１５】マッサージチェアのフレームを説明する斜視図であり、背もたれ部が起立状態にある。
【図１６】マッサージチェアのフレームを説明する斜視図であり、背もたれ部が後方倒れ状態にある。
【図１７】連結手段の第１の形態を示す説明図である。
【図１８】連結手段の第２の形態を示す説明図である。
【図１９】連結手段の第３の形態を示す説明図である。
【図２０】連結手段の第４の形態を示す説明図である。
【図２１】連結手段の第５の形態を示す説明図である。
【図２２】連結手段の第６の形態を示す説明図である。
【図２３】連結手段の第７の形態を示す説明図である。
【符号の説明】
【００４３】
１  マッサージチェア
２  チェア本体部
３  座部
３ａ  座面
４  背もたれ部
６  側壁部材
７  連結部
８  肘掛け部
９  カバー部
１０  マッサージ機構
１１  ソファ
１２  ソファ本体部
１３  座部
１３ａ  座面
１４  背もたれ部
１７  連結部
２１  連結手段
Ａ  共通座面
【図１】
2006288498.tif 000003
【図２】
2006288498.tif 000004
【図３】
2006288498.tif 000005
【図４】
2006288498.tif 000006
【図５】
2006288498.tif 000007
【図６】
2006288498.tif 000008
【図７】
2006288498.tif 000009
【図８】
2006288498.tif 000010
【図９】
2006288498.tif 000011
【図１０】
2006288498.tif 000012
【図１１】
2006288498.tif 000013
【図１２】
2006288498.tif 000014
【図１３】
2006288498.tif 000015
【図１４】
2006288498.tif 000016
【図１５】
2006288498.tif 000017
【図１６】
2006288498.tif 000018
【図１７】
2006288498.tif 000019
【図１８】
2006288498.tif 000020
【図１９】
2006288498.tif 000021
【図２０】
2006288498.tif 000022
【図２１】
2006288498.tif 000023
【図２２】
2006288498.tif 000024
【図２３】
2006288498.tif 000025